(57)【要約】【課題】異なる種類の薬剤を同時に放散して複数の目的を同時に達成できる送風式薬剤放散装置とする。【解決手段】装置本体１０と、この装置本体１０に設けた送風機２０と、その装置本体１０に同時に取付けた複数の薬剤保持体を備え、その送風機２０を駆動することで各薬剤保持体に空気が流通して薬剤を気中に放散するようにした送風式薬剤放散装置。【選択図】      図１
2004337081.tif 000002
【特許請求の範囲】
【請求項１】
送風機２０を設けた装置本体１０と、この装置本体１０に取付けた複数の薬剤保持体を備え、
前記送風機２０を駆動することで各薬剤保持体に空気がそれぞれ流通して保持した薬剤を気中に放散するようにしたことを特徴とする送風式薬剤放散装置。
【請求項２】
装置本体１０は、送風機２０を駆動することで空気が流通する第１通気部１４と第２通気部１５を有し、かつこの第１通気部１４を形成した面に、複数の取付部を有し、
薬剤保持体は、薬剤を保持した保持本体を筒体で被覆した形状で、
その各筒体に、前記各取付部に係脱自在な被取付部がそれぞれ設けてある請求項１記載の送風式薬剤放散装置。
【請求項３】
装置本体１０は、送風機２０を駆動することで空気が流通する第１通気部１４と第２通気部１５を有し、かつこの第１通気部１４を形成した面に、複数の取付部を有し、
薬剤保持体は、容器本体の中空室に薬剤を設けた形状で、
その各容器本体に、前記各取付部に係脱自在な被取付部がそれぞれ設けてある請求項１記載の送風式薬剤放散装置。
【発明の詳細な説明】
【０００１】
【発明の属する技術分野】
本発明は、殺虫、忌避、消臭、芳香、防菌防黴等の目的に供する揮散性の薬剤を気中に放散する送風式薬剤放散装置に関する。
【０００２】
【従来の技術】
従来から快適な生活空間を得るために、各目的に応じて芳香剤、消臭剤、除菌剤、殺虫剤、害虫忌避剤等の揮散性薬剤を気中に放散させ、香りを楽しんだり、ニオイを消したり、或いは、害虫を防除する等している。
これら揮散性の薬剤を気中に放散させるものとしては、特許文献１に開示された送風式薬剤放散装置が提案されている。
この送風式薬剤放散装置は、装置本体内部に薬剤保持体と送風機を設け、その送風機を駆動することで薬剤保持体に空気を流通させ、その薬剤保持体が保持している薬剤を気中に放散するものである。
【０００３】
【特許文献１】
特開平１１−２８０４０号公報
【０００４】
【発明が解決しようとする課題】
前述した従来の送風式薬剤放散装置によれば、送風機を駆動することで薬剤保持体に空気が流通し、同一の揮散性薬剤が気中に放散され、一つの目的が達成される。
例えば、芳香剤、消臭剤、除菌剤、殺虫剤、害虫忌避剤等のいずれか一種類の薬剤を気中に放散し、香りを楽しむ、臭いを消す、菌を除く、害虫を殺す、害虫を防除する等のいずれか一つの目的を達成することができる。
【０００５】
しかし、前述した従来の送風式薬剤放散装置は、装置本体に１つの薬剤保持体を設けるものであるから、同時に複数の目的を達成することができない。
【０００６】
本発明は、前述の課題を解決できるようにしたものであって、その目的は、装置本体に複数の薬剤保持体を同時に取付けでき、異なる目的を達成する薬剤を保持した複数の薬剤保持体を同時に取付けることで、同時に複数の目的を達成することができる送風式薬剤放散装置を提供することである。
【０００７】
【課題を解決するための手段】
第１の発明は、送風機２０を設けた装置本体１０と、この装置本体１０に取付けた複数の薬剤保持体を備え、
前記送風機２０を駆動することで各薬剤保持体に空気がそれぞれ流通して保持した薬剤を気中に放散するようにしたことを特徴とする送風式薬剤放散装置である。
【０００８】
第２の発明は、第１の発明において装置本体１０は、送風機２０を駆動することで空気が流通する第１通気部１４と第２通気部１５を有し、かつこの第１通気部１４を形成した面に、複数の取付部を有し、
薬剤保持体は、薬剤を保持した保持本体を筒体で被覆した形状で、
その各筒体に、前記各取付部に係脱自在な被取付部がそれぞれ設けてある送風式薬剤放散装置である。
【０００９】
第３の発明は、第１の発明において装置本体１０は、送風機２０を駆動することで空気が流通する第１通気部１４と第２通気部１５を有し、かつこの第１通気部１４を形成した面に、複数の取付部を有し、
薬剤保持体は、容器本体の中空室に薬剤を設けた形状で、
その各容器本体に、前記各取付部に係脱自在な被取付部がそれぞれ設けてある送風式薬剤放散装置である。
【００１０】
【作  用】
第１の発明によれば、装置本体１０に複数の薬剤保持体を同時に取付けできるから、異なる目的を達成する薬剤を保持した複数の薬剤保持体を同時に取付けることで、同時に複数の目的を達成することができる。
【００１１】
第２の発明によれば、筒体の被取付部を装置本体１０の取付部に係止することで薬剤保持体を取付けでき、その被取付部を取付部から離脱することで薬剤保持体を装置本体から取り外しできる。
しかも、薬剤を保持した保持本体が筒体で被覆されているから、人が手で持って取付け、取外しする際に薬剤が手に付着することがない。
これらによって、薬剤保持体を装置本体１０に簡単に取付け、取外しできると共に、手を汚すことがない。
【００１２】
第３の発明によれば、容器本体の被取付部を装置本体１０の取付部に係止することで薬剤保持体を取付けでき、その被取付部を取付部から離脱することで薬剤保持体を装置本体から取り外しできる。
しかも、薬剤は、容器本体の中空室内に設けてあるから、人が手で持って取付け、取外しする際に薬剤が手に付着することがない。
これらによって、薬剤保持体を装置本体１０に簡単に取付け、取外しできると共に、手を汚すことがない。
【００１３】
【発明の実施の形態】
図１に示すように、装置本体１０と、この装置本体１０に取付けた送風機２０と、前記装置本体１０に同時に取付けた複数の薬剤保持体、例えば第１・第２・第３薬剤保持体３０，４０，５０で送風式薬剤放散装置を構成している。
前記送風機２０を駆動することで、第１・第２・第３薬剤保持体３０，４０，５０に空気が流通し、それぞれの薬剤を気中に放散する。
【００１４】
このようであるから、第１・第２・第３薬剤保持体３０，４０，５０に保持した薬剤の種類を異ならせることで、３種類の異なった目的を同時に達成することができる。
【００１５】
また、第１・第２・第３薬剤保持体３０，４０，５０が保持している薬剤を同一とすれば、保持する薬剤の量が多くなり、長期間使用することができる。
【００１６】
また、２つの薬剤保持体の保持している薬剤を同一種類とし、他の薬剤保持体の保持している薬剤を異なる種類とすれば、２種類の異なった目的を同時に達成できると共に、１種類の目的を長期間に亘って達成できる。
例えば、第１薬剤保持体３０と第２薬剤保持体４０とが殺虫を目的とする薬剤を保持し、第３薬剤保持体５０が芳香を目的とする薬剤を保持するものとし、殺虫と芳香の目的を同時に達成できるようにする。
【００１７】
前述した種類の異なる薬剤の組み合せ、つまり薬剤効果の違う薬剤保持体の組み合せは前述に限ることはなく、例えば、香りと消臭剤を組み合わせ、悪臭をマスキングし本来の香りを漂わせる、脱臭剤と消臭剤を組み合わせ、悪臭のマスキングと吸着のダブル作用、侵入害虫の忌避剤と殺虫剤を組み合わせ、害虫の侵入防止及び侵入害虫の殺虫、消臭剤と殺虫剤を組み合わせ、室内の消臭と害虫防除など、或いは、大気中の汚染物質の付着予防ネットとの組み合わせが挙げられる。
また、使用する薬剤に適合した違う形状の薬剤保持体を各取付部に、取り付けることもできる。
【００１８】
次に、各部材の具体形状の一例を説明するが、これに限ることはない。
前記装置本体１０は図１、図２、図３に示すように、送風機取付室１０ａと薬剤保持体取付部１０ｂを有し、送風機２０を駆動すると第１・第２・第３薬剤保持体３０，４０，５０に空気が流通するようにしてある。
例えば、装置本体１０は、一側面板１１と他側面板１２と周面板１３で送風機取付室１０ａを有するほぼ箱形状で、その一側面板１１に第１通気部１４、周面板１３に第２通気部１５がそれぞれ形成されている。
【００１９】
前記一側面板１１（つまり、第１通気部１４を形成した面）に複数の取付部、例えば第１・第２・第３取付部１６，１７，１８が設けられ、この第１・第２・第３取付部１６，１７，１８と一側面板１１で前述の薬剤保持体取付部１０ｂを形成している。
例えば、図２に示すように、一側面板１１に第１・第２・第３筒体１６ａ，１７ａ，１８ａを一体的に設け、その各筒体に切欠部１６ｂ，１７ｂ，１８ｂと係止溝１６ｃ，１７ｃ，１８ｃを連続してそれぞれ形成する。
第１筒体１６ａが第１通気部１４の外周に位置し、第２筒体１７ａが第１筒体１６ａよりも外周寄りで、第３筒体１８ａが第２筒体１７ａよりも外周寄りである。
【００２０】
前記第１・第２・第３薬剤保持体３０，４０，５０は、図１と図４に示すように薬剤を保持した保持本体３１，４１，５１の外周面を筒体３２，４２，５２で被覆したもので、その筒体３２，４２，５２に第１・第２・第３被取付部３３，４３，５３をそれぞれ設けて前記第１・第２・第３取付部１６，１７，１８に取付けるようにしてある。
例えば、図４（ａ）、（ｂ）、（ｃ）に示すように、筒体３２，４２，５２の軸方向一端部に、突片３２ａ，４２ａ，５２ａを一体的に設け、この突片３２ａ，４２ａ，５２ａが前記切欠部１６ｂ，１７ｂ，１８ｂから係止溝１６ｃ，１７ｃ，１８ｃに係止するようにしてある。
つまり、第１・第２・第３被取付部３３，４３，５３は第１・第２・第３取付部１６，１７，１８に係脱自在である。
【００２１】
前記各保持本体３１，４１，５１は、ハニカム状構造体で、前記各筒体３２，４２，５２の軸方向に貫通した多数の通気孔３１ａ，４１ａ，５１ａを有する。
そして、このハニカム状構造体の周囲に筒体３２，４２，５２を設けてハニカム状構造体を保護すると共に、補強している。
このようであるから、小型軽量で多量の薬剤を保持できると共に、前面に空気が均一にスムーズに流通して薬剤を終始安定して気中に放散できる。つまり、ハニカム状構造体は、気流の通過度が高く、薬剤の含有率が高く、重量的に軽量可能で、構造が簡単で取り扱いが容易である。
【００２２】
前記第１薬剤保持体３０は、図１に示すように、その筒体３２が第１通気部１４の外周縁に位置するように取付けられる。
前記第２薬剤保持体４０の筒体４２は保持本体４１よりも長尺で、軸方向一側部に、前記第１薬剤保持体３０が嵌まり合う凹陥部４４を有し、この第２薬剤保持体４０は、その凹陥部４４に第１薬剤保持体３０が嵌まり合うようにして取付けられる。
前記第３薬剤保持体５０の筒体５２は保持本体５１よりも長尺で、軸方向一側部に、前記第２薬剤保持体４０が嵌まり合う凹陥部５４を有し、この第３薬剤保持体５０は、その凹陥部５４に第２薬剤保持体４０が嵌まり合うようにして取付けられる。
なお、前述の嵌まり合うとは、空間を有して入り込むことである。
【００２３】
このようであるから、第１・第２・第３薬剤保持体３０，４０，５０は順次嵌まり合うように取付けられて各保持本体３１，４１，５１が軸方向に連続する。
【００２４】
前記送風機２０はファン２１とモータ２２を備えている。
前記装置本体１０には電池収納室１０ｃが形成され、この電池収納室１０ｃに設けた電池２３で前記モータ２２が駆動される。
【００２５】
前記送風式薬剤放散装置は次のような使い方ができる。
例えば、屋内において、処理する空間の大きさが違う場所（例えば、ホテルなどの個室、会議室、宴会場）で使用する場合、各場所毎に、例えば個室で第１取付部１６に第１薬剤保持体３０を取付け、会議室で第２取付部１７に第２薬剤保持体４０を取付け、宴会場で第３取付部１８に第３薬剤保持体５０を取付ける。
つまり、第１・第２・第３薬剤保持体３０，４０，５０の薬剤量を順次多くし、屋内使用の場合には、その使用目的の大きさに応じていずれか１つの薬剤保持体を取付けて使用する。
【００２６】
また、処理空間において、室内の閉鎖条件で第１取付部１６に第１薬剤保持体３０を取付け、窓などを開いた半閉鎖条件で第２取付部１７に第２薬剤保持体４０を取付け、軒下など室外の開放条件で第３取付部１８に第３薬剤保持体５０を取付けて使用する。
つまり、第１・第２・第３薬剤保持体３０，４０，５０の薬剤量を順次多くし、使用の空間の密閉状態に応じていずれか１つの薬剤保持体を取付けて使用する。
【００２７】
また、室内では第１、第２取付部１６，１７に第１、第２薬剤保持体３０，４０を取付け、屋外（ビアガーデン、レストランなど）では第３取付部１８に第３薬剤保持体５０を取付けて使用する。
この場合には、第１薬剤保持体３０と第２薬剤保持体４０の薬剤量の合計よりも第３薬剤保持体５０の薬剤量が多いものとする。
【００２８】
また、用いる薬剤の種類によって、例えば、香りや消臭薬剤を第１取付部１６に取付ける第１薬剤保持体３０に保持し、害虫防除剤を第２、第３取付部１７，１８に取付ける第２、第３薬剤保持体４０，５０に保持し、それぞれ区別して使用する。
【００２９】
次に、本発明の第２の実施の形態を図５に基づいて説明する。
この実施の形態は、装置本体１０の一側面板１１をテーパー筒形状として第１・第２・第３取付部１６，１７，１８を軸方向に位置をずらし、第１・第２・第３薬剤保持体３０，４０，５０の筒体３２，４２，５２と保持本体３１，４１，５１をほぼ同一長さとしたことが第１の実施の形態と相違し、他の構成は同一である。
【００３０】
次に、本発明の第３の実施の形態を図６に基づいて説明する。
この実施の形態は、複数の薬剤保持体の薬剤が軸方向と直角方向（径方向）に順次連続していることが前述の第１・第２の実施の形態と大きく相違する。
すなわち、第１・第２薬剤保持体３０，４０は、容器本体３５，４５のリング形状の中空室３５ａ，４５ａに、薬剤を設けたもの、例えば薬剤を担持した粉体３６，４６を充填してある。前記各中空室３５ａ，４５ａには径方向に空気が流通するようにしてある。
前記第１・第２薬剤保持体３０，４０は、その容器本体３５，４５を装置本体１０の一側面板１１に、第１薬剤保持体３０の容器本体３５の外周に第２保持体４０の容器本体４５が位置するように取付けられる。
【００３１】
具体的には、容器本体３５，４５は、一側板６０と他側板６１を内側筒６２と外側筒６３で連結してリング形状の中空室３５ａ，４５ａを有する形状で、その一側板６０に孔６０ａを形成すると共に、内側筒６２、外側筒６３に通気部６２ａ，６３ａを形成してある。
前記一側板６０の孔６０ａの開口縁に第１・第２被取付部３３，４３を設け、その第１被取付部３３を第１取付部１６に取付けると第１薬剤保持体３０の一側板６０の孔６０ａが第１通気部１４に連通する。
前記第２被取付部４３を第２取付部１７に取付けると第２薬剤保持体４０の一側板６０の孔６０ａが第１薬剤保持体３０の外側筒６３に嵌まり合い、各中空室３５ａ，４５ａが径方向に連続する。
【００３２】
このようであるから、第１・第２薬剤保持体３０，４０を図６に示すように装置本体１０に取付け、送風機２０を駆動することで、空気が矢印で示すように各中空室４５ａ，３５ａを順次流通して第１通気部１４から吸い込みされ、第２通気部１５から気中に吐き出しされる。
よって、粉体３６，４６に担持された薬剤が気中に放散される。
【００３３】
なお、図６においては第１・第２薬剤保持体３０，４０が図示してあるが、第３薬剤保持体を同様にして取付けできることは勿論である。
【００３４】
前記装置本体１の第１・第２・第３取付部１６，１７，１８と第１・第２・第３筒体３２，４２，５２の第１・第２・第３被取付部３３，４３，５３は前述の形状に限ることはなく、任意のものとすることができる。
例えば、筒体１６ａ，１７ａ，１８ａに第１・第２・第３筒体３２，４２，５２の一端部を嵌合して取付ける。
前記筒体１６ａ，１７ａ，１８ａと第１・第２・第３筒体３２，４２，５２に雄ねじと雌ねじを形成してねじ合して取付ける。
前記各取付部を複数のＬ字状片とし、各被取付部をＬ字状片に嵌合する複数の係り止め片とする。
【００３５】
例えば、第１・第２取付部を設けた装置本体１０で説明すると、図７と図８に示すように装置本体１０の一側面板１１に内側Ｌ字状片７０、外側Ｌ字状片７１を周方向に９０度の間隔を置いて４コ設け、４つの内側Ｌ字状片７０で第１取付部１６、４つの外側Ｌ字状片７１で第２取付部１７とする。
第１薬剤保持体３０の四角形状の筒体３２の一端部に係り止め片７２を周方向に９０度の間隔を置いて４つ設け、その各係り止め片７２が各内側Ｌ字状片７０に嵌合するようにし、その４つの係り止め片７２で第１被取付部３３とする。
なお、第２薬剤保持体４０の筒体４２にも係り止め片を設けて第２被取付部とする。
また、Ｌ字状片、係り止め片を４コ設けたが、２コ、または３コでもよく、薬剤保持体の形状や取付部の数によって決めれば良い。
【００３６】
前記各実施の形態では、第１・第２・第３薬剤保持体３０，４０，５０が装置本体１０の中心に対して同心状に取付けてあるが、上方又は下方、左右一方に偏心して取付けるようにしても良い。
【００３７】
前記各実施の形態では、３つ、または２つの薬剤保持体を取付けしたが、４つ以上の薬剤保持体を取付けても良い。
【００３８】
【発明の効果】
請求項１に係る発明によれば、装置本体１０に複数の薬剤保持体を同時に取付けできるから、異なる目的を達成する薬剤を保持した複数の薬剤保持体を同時に取付けることで、同時に複数の目的を達成することができる。
【００３９】
請求項２に係る発明によれば、筒体の被取付部を装置本体１０の取付部に係止することで薬剤保持体を取付けでき、その被取付部を取付部から離脱することで薬剤保持体を装置本体から取り外しできる。
しかも、薬剤を保持した保持本体が筒体で被覆されているから、人が手で持って取付け、取外しする際に薬剤が手に付着することがない。
これらによって、薬剤保持体を装置本体１０に簡単に取付け、取外しできると共に、手を汚すことがない。
【００４０】
請求項３に係る発明によれば、容器本体の被取付部を装置本体１０の取付部に係止することで薬剤保持体を取付けでき、その被取付部を取付部から離脱することで薬剤保持体を装置本体から取り外しできる。
しかも、薬剤は、容器本体の中空室内に設けてあるから、人が手で持って取付け、取外しする際に薬剤が手に付着することがない。
これらによって、薬剤保持体を装置本体１０に簡単に取付け、取外しできると共に、手を汚すことがない。
【図面の簡単な説明】
【図１】本発明の第１の実施の形態を示す断面図である。
【図２】装置本体の一側視斜視図である。
【図３】装置本体の他側視斜視図である。
【図４】（ａ）第１薬剤保持体の斜視図である。
（ｂ）第２薬剤保持体の斜視図である。
（ｃ）第３薬剤保持体の斜視図である。
【図５】本発明の第２の実施の形態を示す断面図である。
【図６】本発明の第３の実施の形態を示す断面図である。
【図７】本発明の薬剤保持体取付けの他の実施の形態を示す正面図である。
【図８】図７のＡ−Ａ断面図である。
【符号の説明】
１０…装置本体、１１…一側面板、１２…他側面板、１３…周面板、１４…第１通気部、１５…第２通気部、１６…第１取付部、１７…第２取付部、１８…第３取付部、２０…送風機、３０…第１薬剤保持体、３１…保持本体、３２…筒体、４０…第２薬剤保持体、４１…保持本体、４２…筒体、５０…第３薬剤保持体、５１…保持本体、５２…筒体、７０…内側Ｌ字状片、７１…外側Ｌ字状片、７２…係り止め片。
【図１】
2004337081.tif 000003
【図２】
2004337081.tif 000004
【図３】
2004337081.tif 000005
【図４】
2004337081.tif 000006
【図５】
2004337081.tif 000007
【図６】
2004337081.tif 000008
【図７】
2004337081.tif 000009
【図８】
2004337081.tif 000010